(57)【特許請求の範囲】
【請求項１】
顧客が操作する顧客操作部を備え、当該顧客操作部の操作により取引を行う自動取引装置において、
前記顧客操作部の画面の輝度または色の鮮やかさである画面表示パラメータを調整する手段と、
前記調整結果を保持する顧客情報保持手段とを設け、
顧客ごとに、前記顧客操作部の前記画面表示パラメータを設定し前記顧客情報保持手段にて保持し、次の取引にて前記保持した画面表示パラメータとするようにしたことを特徴とする自動取引装置。
【請求項２】
顧客が操作する顧客操作部を備え、当該顧客操作部の操作により取引を行う自動取引装置において、
前記顧客操作部の画面の輝度または色の鮮やかさである画面表示パラメータを前記顧客操作部の画面エリアごとに調整する手段と、
前記画面エリアごとの前記調整結果を保持する顧客情報保持手段とを設け、
顧客ごとに、前記画面エリアごとの前記画面表示パラメータを設定できるようにし、次の取引にて前記画面エリアごとに保持した画面表示パラメータとするようにしたことを特徴とする自動取引装置。
【請求項３】
顧客が操作する顧客操作部を備え、当該顧客操作部の操作により取引を行う自動取引装置において、
設置場所の明るさを検知する光学センサと、
前記光学センサの検知結果に基づいて設置場所の明るさに適した顧客操作画面の輝度を抽出する基準輝度抽出手段と、
前記顧客操作部の画面表示パラメータを調整する手段と、
前記調整結果を保持する顧客情報保持手段とを設け、
顧客ごとに、前記顧客操作部の画面表示パラメータを設定し前記顧客情報保持手段にて保持し、次の取引にて前記保持した画面表示パラメータとし、
前記基準輝度抽出手段の結果に基づいて、設置場所の明るさに適した輝度を基準輝度として示すようにしたことを特徴とする自動取引装置。
【請求項４】
顧客が操作する顧客操作部を備え、当該顧客操作部の操作により取引を行う自動取引装置において、
前記顧客操作部の画面表示パラメータを調整する手段と、
前記調整結果を保持する顧客情報保持手段とを設け、
顧客ごとに、前記顧客操作部の画面表示パラメータを設定し前記顧客情報保持手段に  て保持し、次の取引にて前記保持した画面表示パラメータとするようにし、
前記画面表示パラメータは、顧客操作画面の輝度であって、
前記顧客情報保持手段は、前記輝度に応じた手数料割引情報を保持し、
顧客ごとに、前記顧客操作部の輝度を設定し前記顧客情報保持手段にて保持し、次の取引にて前記保持した輝度とするとともに前記輝度に応じた手数料割引情報に基づいて手数料割引を行えるようにしたことを特徴とする自動取引装置。
【請求項５】
顧客が操作する顧客操作部を備え、当該顧客操作部の操作により取引を行う自動取引装置において、
画面表示パラメータを前記顧客操作部の画面エリアごとに調整する手段と、
前記画面エリアごとの前記調整結果を保持する顧客情報保持手段とを設け、
顧客ごとに、前記画面エリアごとの画面表示パラメータを設定できるようにし、次の取引にて前記画面エリアごとに保持した画面表示パラメータとするようにし、
前記画面表示パラメータは、顧客操作画面の輝度であって、
前記顧客情報保持手段は、前記輝度に応じた手数料割引情報を保持し、
顧客ごとに、前記顧客操作部の輝度を設定し前記顧客情報保持手段にて保持し、次の取引にて前記保持した輝度とするとともに前記輝度に応じた手数料割引情報に基づいて手数料割引を行えるようにしたことを特徴とする自動取引装置。
【請求項６】
手数料割引が開始される基準の輝度を表示するようにしたことを特徴とする請求項４または５記載の自動取引装置。
【請求項７】
顧客が操作する顧客操作部を備え、当該顧客操作部の操作により取引を行う自動取引装置と、
当該自動取引装置と通信手段にて接続された顧客データベースと、を備え、
前記自動取引装置は、前記顧客操作部の画面の輝度または色の鮮やかさである画面表示パラメータを調整する手段を備え、
前記顧客データベースは、前記調整手段による調整結果を保持する顧客情報保持手段を備え、
顧客ごとに、前記顧客操作部の前記画面表示パラメータを設定し前記顧客情報保持手段にて保持し、次の取引にて前記保持した画面表示パラメータとするようにしたことを特徴とする自動取引システム。
【発明の詳細な説明】
【技術分野】
【０００１】
本発明は、現金自動預払機などの自動取引装置における顧客操作画面の輝度の設定に関するものである。
【背景技術】
【０００２】
従来、顧客ごとに自動取引装置の顧客操作部の画面表示方法を変える技術として、顧客操作部による取引選択画面の表示中に顧客がカードを挿入すると、カードリーダライタ部によりカードの磁気ストライプから顧客情報を読み取り、読み取った顧客情報に基づいて当該顧客の取引履歴をデータ管理装置の顧客データベースから取得して、取引履歴のある取引に該当する取引種類のキーを拡大して表示し、反復して同じ取引を行う顧客に対し、取引選択時の操作性を向上させる技術はあった（例えば、特許文献１参照）。
【先行技術文献】
【特許文献】
【０００３】
【特許文献１】特開２００４−４６６３０号公報
【発明の概要】
【発明が解決しようとする課題】
【０００４】
しかしながら、上記従来の自動取引装置では、顧客操作部の画面の輝度や鮮やかさは常に一定であり、顧客の視力や顧客の好みの明るさも異なり、暗くて見づらい等のクレームや、逆に、明る過ぎて目が疲れる等のクレームがあり、明る過ぎる場合では、無駄に電力を消費してしまっていた。
【課題を解決するための手段】
【０００５】
本発明は、前述の課題を解決するため次の構成を採用する。すなわち、顧客が操作する顧客操作部を備え、当該顧客操作部の操作により取引を行う自動取引装置において、前記顧客操作部の画面表示パラメータを調整する手段と、顧客ごとの前記調整結果を保持する顧客情報保持手段と、を設け、顧客ごとに、前記顧客操作部の画面表示パラメータを設定し前記顧客情報保持手段にて保持し、次の取引にて前記保持した画面表示パラメータとするようにした。
【発明の効果】
【０００６】
本発明の自動取引装置によれば、顧客が操作する顧客操作部を備え、当該顧客操作部の操作により取引を行う自動取引装置において、前記顧客操作部の画面表示パラメータを調整する手段と、顧客ごとの前記調整結果を保持する顧客情報保持手段と、を設け、顧客ごとに、前記顧客操作部の画面表示パラメータを設定し前記顧客情報保持手段にて保持し、次の取引にて前記保持した画面表示パラメータとするようにしたので、顧客が所望とする輝度に設定でき、かつ当該顧客の次回取引以降、保持した輝度に自動設定でき、省電力にも寄与することができる。
【図面の簡単な説明】
【０００７】
【図１】実施例１の自動取引装置の概観斜視図である。
【図２】実施例１の自動取引装置および自動取引システムの制御系機能ブロック図である。
【図３】実施例１の自動取引装置の動作フローチャート図である。
【図４】実施例１の自動取引装置の顧客操作部画面例である。
【図５】実施例１の自動取引装置の変形例１の顧客操作部画面例である。
【図６】実施例１の自動取引装置の変形例２の操作部画面例である。
【図７】実施例１の自動取引装置の変形例３の顧客操作部画面例である。
【図８】実施例２の自動取引装置の制御系機能ブロック図である。
【図９】実施例２の自動取引装置の動作フローチャート図である。
【図１０】実施例２の自動取引装置の顧客操作部画面例である。
【図１１】実施例２の自動取引装置の変形例の顧客操作部画面例である。
【発明を実施するための形態】
【０００８】
以下、本発明に係わる実施の形態例を、図面を用いて説明する。なお、図面に共通する要素には同一の符号を付す。
【実施例１】
【０００９】
（構成）
図１は、実施例１の自動取引装置の構成を示した概観斜視図である。同図に示したように、実施例１の自動取引装置は、取引開始後、媒体投入口となり硬貨を入金または出金する硬貨入出金口２と、媒体投入口となり紙幣を投入または出金する紙幣入出金口３と、取引操作画面を表示しかつ所定の入力を行うタッチパネルからなる顧客操作部４と、通帳での取引を行う場合に通帳を挿入する通帳挿入口５と、取引開始前の認証のためのキャッシュカード等を挿入するカード挿入口６を備える。
【００１０】
また、実施例１の自動取引装置１の制御系は、図２に示したような構成となっている。すなわち、同図に示したように自動取引装置１の制御系は、記憶部１１ａを有し後述の各部の制御を行う制御部１１と、前述の顧客操作部４と、紙幣および硬貨の入出金制御を行う入出金処理部１４と、キャッシュカード等に記録された情報のリードライトを行うカード処理部１５と、通帳の磁気ストライプのリードライトおよび通帳への印字制御を行う通帳処理部１６を備える。
【００１１】
そして、自動取引装置１と通信回線１７を介して接続されるホストコンピュータの顧客情報保持手段としての顧客データベース１８には、取引履歴情報１８ａおよび画面表示パラメータの１つとなる画面輝度情報を格納する顧客情報格納手段としての顧客操作部４の画面輝度情報１８ｂが格納されるようになっている。
【００１２】
なお、画面輝度情報１８ｂを、通信回線１７を介して顧客データベース１８に格納できる構成として説明したが、制御部１１の記憶部１１ａに格納するような構成としてもよいし、或いはさらに相互の自動取引装置１間で格納した画面輝度情報１８ｂを交換できるような構成としてもよい。
【００１３】
（動作）
以上の構成により実施例１の自動取引装置１は以下のように動作する。この動作を図３の動作フローチャート図および図４の操作部画面例を用いて以下詳細に説明する。
【００１４】
まず、自動取引装置１は顧客の接近を検知すると、顧客操作部４に取引選択画面の表示を行う（ステップＳ０１）。
【００１５】
そして、顧客が取引選択画面のメニューから画面輝度調整の取引ボタンを押下したときは（ステップＳ０２）、画面輝度調整処理に進み、本人確認のためにカード挿入口６にカードを挿入させ、さらに顧客操作部４にて暗証番号等を入力させ（ステップＳ０３）、個人認証が終了すると（ステップＳ０４）、顧客操作部４に、図４に示したような輝度調整画面を表示する（ステップＳ０５）。
【００１６】
そして、「画面の明るさを調整したいときは調整ボタンを押下して調整してください旨」のメッセージ１０２を表示し、現在設定されている明るさに合わせて明るさのゲージ１０４を変化させて表示する。また、「調整した画面の明るさが保持され次回取引にて自動調整される旨」のメッセージ１０３も表示する。
【００１７】
すると、顧客は、輝度調整手段としての調整ボタン１０１を押下して所望の輝度に調整する。このとき、制御部１１は、顧客操作画面４の明るさを変化させるとともに、現在の明るさを数値化した輝度の率１０５を変化させ、明るさのゲージ１０４も変化させる（ステップＳ０６）。なお、ゲージ１０４を、直接、操作して輝度を調整できるようにしてもよい。
【００１８】
顧客は、好みの明るさになったら決定ボタン１０６を押下する（ステップＳ０７。なお、図３の動作フローチャート図には記載していないが、顧客が輝度調整の操作を取り消したいときは、取消しボタン１０７を押下すると、調整した画面輝度の情報を保持することなく、本処理を終了する。
【００１９】
前記ステップＳ０７にて決定ボタン１０６が押下されると、制御部１１は通信回線１７を介して顧客データベース１８の前記個人認証により特定された顧客の画面輝度情報１８ｂを更新し（ステップＳ０８）、本処理を終了する。
【００２０】
一方、ステップＳ０２にて、顧客が、取引選択画面のメニューから画面輝度調整以外の取引ボタンを押下した場合は、現在の輝度のまま取引を開始することを所望としているとし、ステップＳ０３と同様、本人確認のためにカード挿入口６にカードを挿入させ、さらに顧客操作部４にて暗証番号等を入力させ（ステップＳ１１）、個人認証が終了すると（ステップＳ１２）、顧客データベース１８の画面輝度情報１８ｂから個人認証により特定された顧客の画面輝度情報を取得し（ステップＳ１３）、取得した画面輝度に基づいて画面輝度を調整して各種取引画面を表示する（ステップＳ１４）。
【００２１】
次に、表示された取引画面により、入金取引や出金取引或いは振替取引等を実施し（ステップＳ１５）、顧客データベース１８の取引履歴情報１８ａを更新して（ステップＳ１６）、本処理を終了する。
【００２２】
なお、以上の実施例の説明では、画面輝度調整の前のステップＳ０４にて個人認証を行うように説明したが、ステップＳ０４の個人認証は行うことなく、画面輝度を調整できるようにし、当該調整結果を自動取引装置１に一旦保持しておき、入金取引や出金等にてステップＳ１１の個人認証を行ったときに、前記一旦保持しておいた調整結果を前記個人認証により特定された顧客の画面輝度情報１８ｂに格納するようにしてもよい。
【００２３】
また、以上の実施例の説明では、自動取引装置１が設置された場所の輝度との関係については説明しなかったが、設置場所の明るさを検知する光学センサと、当該光学センサの検知結果に基づいて顧客操作画面の適切な輝度を抽出する基準輝度抽出手段を備え、図５の実施例１の変形例１の操作部画面例に示したように、前記基準輝度抽出手段の結果に基づいて、設置場所の明るさに適した輝度を「適切な明るさ」２０１として表示し、見やすい輝度をガイドするようにするとなおよい。
【００２４】
また、図６の実施例１の変形例２の操作部画面例に示したように、顧客操作部４の画面位置ごと、例えば、文章表示エリア１０４ａとテンキーエリア１０４ｂに分けて、いずれかのエリアを押下して選択した後、調整ボタン１０１を押下して、それぞれの輝度を調整できるようにし、当該調整輝度の縮小画像を２１０ａ、２１０ｂ、現在の輝度を１０５ａ、１０５ｂのように表示してガイドするようにしてもよい。このときのエリアごと調整結果は、顧客データベース１８の当該顧客の画像輝度情報１８ｂに格納する。
【００２５】
また、図７の実施例１の変形例３の操作部画面例に示したように、画面表示パラメータとして、輝度の調整ではなく或いは輝度の調整とともに色の鮮やかさをガイダンス２０２に基づいて調整できるようにし、当該ゲージを２０４のように表示し、鮮やかさを数値で２０５のように示し、縮小画像を３１０のように表示するようにしてもよい。この場合も、図６の実施例１の変形例２のようにエリアごとに調整等できるようにしてもよい。なお、ゲージ２０４を、直接、操作して色の鮮やかさを調整できるようにしてもよい。
【００２６】
また、図示していないが、或いはさらに画面サイズを６４０ドット×４８０ドット、１０２４ドット×７６８ドットのように顧客が所望するサイズに設定できるようにしてもよい。
【００２７】
（実施例１の効果）
以上のように、実施例１の自動取引装置によれば、顧客が操作する顧客操作部を備え、当該顧客操作部の操作により取引を行う自動取引装置において、前記顧客操作部の輝度を調整する手段と、顧客ごとに当該調整結果を保持する手段を設けたので、顧客が所望とする輝度に設定でき、かつ当該顧客の次回取引以降、保持した輝度に自動設定でき、省電力にも寄与することができる。
【実施例２】
【００２８】
（構成）
実施例２の自動取引装置の外観構成は実施例１と同様であるので、簡略化のためにその詳細な説明は省略する。
【００２９】
実施例２の自動取引装置１では、顧客が設定した画面輝度に応じて取引手数料の割引を行える機能を追加した構成となっており、制御系の構成として、図８に示したように、手数料割引情報の格納手段として、顧客データベース１８に輝度に応じた手数料割引情報１８ｃを追加した構成となっている。その他の構成は実施例１と同様であるので、簡略化のためにその詳細な説明は省略する。
【００３０】
（動作）
以上の構成により実施例２の自動取引装置１は以下のように動作する。図９の動作フローチャート図および図１０の操作部画面例を用いて以下詳細に説明する。なお、ステップＳ２５、Ｓ２６、Ｓ３３、Ｓ３６以外の動作は、実施例１と同様であるのでその説明を簡略化する。
【００３１】
まず、自動取引装置１は顧客の接近を検知すると、顧客操作部４に取引選択画面の表示を行い、顧客が取引選択画面のメニューから画面輝度調整の取引ボタンを押下したときは、画面輝度調整処理に進み、本人確認のためにカード挿入口６にカードを挿入させ、さらに顧客操作部４にて暗証番号等を入力させ、個人認証が終了すると（ステップＳ０１〜Ｓ０４）、顧客操作部４に、図１０に示したような輝度調整および当該輝度に応じた手数料割引画面を表示する（ステップＳ２５）。
【００３２】
そして、「画面の明るさを調整したいときは調整ボタンを押下して調整してください旨」のメッセージ１０２を表示し、現在設定されている明るさに合わせて明るさのゲージ１０４を変化させて表示する。また、「調整した画面の明るさが保持され次回取引にて自動調整される旨」のメッセージ１０３、さらに「輝度に応じて手数料の割引がある旨」のメッセージ３０１も表示する。
【００３３】
すると、顧客は、輝度調整手段としての調整ボタン１０１を押下して所望の輝度に調整する。このとき、制御部１１は、顧客操作画面４の明るさ変化させるとともに、現在の明るさを数値化した現在の輝度の率１０５、さらに当該輝度に応じた手数料割引３０２を変化させ、明るさのゲージ１０４も変化させる（ステップＳ２６）。なお、この場合も実施例１と同様、ゲージ１０４を、直接、操作して輝度を調整できるようにしてもよい。
【００３４】
顧客は、好みの明るさになったら決定ボタン１０６を押下する（ステップＳ０７）。なお、図９の動作フローチャート図には記載していないが、顧客が輝度調整の操作を取り消したいときは、取消しボタン１０７を押下すると、調整した画面輝度の情報は保持することなく、本処理を終了する。
【００３５】
前記ステップＳ０７にて決定ボタン１０６が押下されると、制御部１１は通信回線１７を介して顧客データベース１８の画面輝度情報１８ｂを更新し（ステップＳ０８）、本処理を終了し、ステップＳ０１に戻って、次の取引を行うための取引選択画面が表示される。
【００３６】
一方、ステップＳ０２にて、顧客が、取引選択画面のメニューから画面輝度調整以外の取引ボタンを押下した場合は、現在の輝度のまま取引を開始することを所望としているとし、ステップＳ０３と同様、本人確認のためにカード挿入口６にカードを挿入させ、さらに顧客操作部４にて暗証番号等を入力させ、個人認証が終了すると（ステップＳ１１、Ｓ１２）、顧客データベース１８から画面輝度情報１８ｂおよび当該輝度に応じた手数料割引情報１８ｃを取得し、取得した画面輝度に基づいて画面輝度を調整し（ステップＳ３３）、各種取引画面を表示する（ステップＳ１４）。
【００３７】
次に、表示された取引画面により、例えば入金取引や出金取引或いは振替取引等を実施し（ステップＳ１５）、手数料が発生する取引のときはステップＳ３３にて取得した手数料割引情報１８ｃに基づいて手数料を割り引いて顧客データベース１８の取引履歴情報１８ａを更新して（ステップＳ３６）、本処理を終了する。
【００３８】
なお、以上の実施例の説明では、手数料が割り引かれる輝度の基準値の表示については説明しなかったが、図１１の自動取引装置１の変形例の操作部画面例のように、推奨値３０４を表示して、「推奨値以下に輝度を設定すれば、手数料を割り引く旨」のメッセージ４０１を表示して顧客に知らせるようにするとなおよい。
【００３９】
また、以上の実施例の説明では、手数料割引情報１８ｃを、通信回線１７を介したホストコンピュータ等の顧客データベース１８に設けるように説明したが、それぞれの自動取引装置１に備えた記憶部１１ａに格納しておく構成としてもよい。
【００４０】
また、以上の実施例の説明では、輝度に対応する手数料割引情報を格納しておくように説明したが、顧客ごとに、設定された輝度に対応した手数料割引情報を格納するようにしてもよい。
【００４１】
また、以上の実施例の説明では、全画面の輝度に応じた手数料割引にて説明したが、実施例１の変形例２のようにエリアごとに輝度を調整するときは、例えば、エリアの面積により重み付けした輝度の加算値に応じて手数料を割り引くようにすればよい。
【００４２】
（実施例２の効果）
以上のように実施例２の自動取引装置１によれば、顧客が操作する顧客操作部を備え、当該顧客操作部の操作により取引を行う自動取引装置において、前記顧客操作部の輝度を調整する手段と、前記輝度および前記輝度に応じた手数料割引情報を保持する顧客情報保持手段を備え、顧客ごとに、前記顧客操作部の輝度を設定し前記顧客情報保持手段にて保持し、次の取引にて前記保持した輝度とするとともに前記輝度に応じた手数料割引情報に基づいて手数料割引を行えるようにしたので、実施例１の効果に加え、顧客が積極的に輝度を下げ、省電力に努めるようにすることができる。
【産業上の利用可能性】
【００４３】
以上述べたように、本発明は顧客が操作する顧客操作部を有し、当該顧客操作部の操作により取引を行う自動取引装置に広く用いることができる。
【符号の説明】
【００４４】
１    自動取引装置
２    硬貨入出金口
３    紙幣入出金口
４    顧客操作部
１１  制御部
１１ａ  記憶部
１７  通信回路
１８  顧客データベース
１８ａ  取引履歴情報
１８ｂ  画面輝度情報
１８ｃ  手数料割引情報
【図１】
0005581806.tif 000002
【図２】
0005581806.tif 000003
【図３】
0005581806.tif 000004
【図４】
0005581806.tif 000005
【図５】
0005581806.tif 000006
【図６】
0005581806.tif 000007
【図７】
0005581806.tif 000008
【図８】
0005581806.tif 000009
【図９】
0005581806.tif 000010
【図１０】
0005581806.tif 000011
【図１１】
0005581806.tif 000012